(57)【特許請求の範囲】
【請求項１】
ＯＳＤ機能を有する第１及び第２のプロジェクタと通信する通信デバイスと、入力映像信号にＯＳＤ信号を重畳させる単一のＯＳＤデバイスと、コントローラを有し、
信号ソースから入力される映像信号を、前記ＯＳＤデバイスを介して前記第１及び第２のプロジェクタに分配する映像信号分配装置であって、
前記コントローラは、
前記通信デバイスによって前記第１及び第２のプロジェクタと通信して第１及び第２のプロジェクタのＯＳＤ表示情報、及び第１及び第２のプロジェクタとの接続情報を取得し、取得されたＯＳＤ表示情報、及び接続情報に基づいて前記第１及び第２のプロジェクタへの前記ＯＳＤデバイスによるＯＳＤ表示を制御するようになっており、
前記接続情報から第１のプロジェクタと接続されていることを検出するとともに、前記ＯＳＤ表示情報から第１のプロジェクタのＯＳＤ表示が行われていないことを検出したとき、前記ＯＳＤデバイスによって前記第１のプロジェクタに対してＯＳＤ表示を行ない、
前記接続情報から第１のプロジェクタと接続されていることを検出するとともに、前記ＯＳＤ表示情報から第１のプロジェクタのＯＳＤ表示が行われていることを検出したとき、前記第１のプロジェクタに対してＯＳＤ表示を行なわない、映像信号分配装置。
【発明の詳細な説明】
【技術分野】
【０００１】
本開示は、信号ソースから入力される映像信号を、ＯＳＤ発生器を介して複数の映像表示機器に分配する映像信号分配装置に関する。
【背景技術】
【０００２】
特許文献１は、プロジェクタシステムを開示する。メインプロジェクタとサブプロジェクタを備え、メインプロジェクタは通信手段によってサブプロジェクタを制御する。複数のプロジェクタにトークンが与えられ、トークンを所持するプロジェクタが自プロジェクタのＯＳＤメニューを表示出力する。これにより、複数台のプロジェクタを専用の制御機器無しに、１つのシステムとして制御できる。
【先行技術文献】
【特許文献】
【０００３】
【特許文献１】特開２０１２−１９４４２号公報
【発明の概要】
【発明が解決しようとする課題】
【０００４】
本開示は、高価なＯＳＤデバイスの使用個数を削減し、コスト低減を図った映像信号分配装置を提供する。
【課題を解決するための手段】
【０００５】
本開示は、ＯＳＤ機能を有する複数の映像表示機器と通信する通信デバイスと、入力映像信号にＯＳＤ信号を重畳させるＯＳＤデバイスと、コントローラを有し、信号ソースから入力される映像信号を、ＯＳＤデバイスを介して複数の映像表示機器に分配する映像信号分配装置である。コントローラは、通信デバイスによって複数の映像表示機器と通信して各映像表示機器のＯＳＤ表示情報、及び各映像表示機器との接続情報を取得し、取得されたＯＳＤ表示情報、及び接続情報に基づいて各映像表示機器へのＯＳＤデバイスによるＯＳＤ表示を制御する。
【発明の効果】
【０００６】
本開示における映像信号分配装置は、ＯＳＤデバイスの使用個数を削減し、コスト低減を図ることができる。
【図面の簡単な説明】
【０００７】
【図１】実施の形態１における映像信号分配装置の使用状態を示す模式図
【図２】実施の形態１におけるプロジェクタの構成を示すブロック図
【図３】実施の形態１における映像信号分配装置のブロック図
【図４】実施の形態１における映像信号分配装置の動作を説明するフローチャート
【図５】実施の形態２における映像信号分配装置の動作を説明するフローチャート
【図６】実施の形態２における映像信号分配装置の動作を説明するフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施の形態１）
以下、図１〜４を用いて、実施の形態１を説明する。
【００１１】
［１−１．構成］
［１−１−１．周辺機器との接続構成］
図１は、実施の形態１にかかる映像信号分配装置１００が、周辺機器と接続された状態を示す模式図である。映像信号分配装置１００は、その周辺機器であるＤＶＤ再生装置２００、第１プロジェクタ３１０、第２プロジェクタ３２０と接続される。リモコン４００は、第１プロジェクタ３１０をコントロールする。図示していないが、第２プロジェクタ３２０の操作は他のリモコンによって操作される。ＤＶＤ再生装置２００は、信号ソースの一例であり、ＤＶＤ再生装置２００に代えてパーソナルコンピュータ等のその他の映像供給ソースが使用できる。また、第１プロジェクタ３１０、及び第２プロジェクタ３２０は、映像表示機器の一例であり、これに代えて、液晶ディスプレイ装置も使用できる。
【００１２】
ＤＶＤ再生装置２００は、ケーブル５００によって映像信号分配装置１００と接続され、ＤＶＤから再生された映像信号を映像信号分配装置１００に供給する。
【００１３】
第１プロジェクタ３１０は、ケーブル５１０によって映像信号分配装置１００と接続され、ＤＶＤ再生装置２００で再生された映像信号は、映像信号分配装置１００を介して第１プロジェクタ３１０に供給される。
【００１４】
第２プロジェクタ３２０は、ケーブル５２０によって映像信号分配装置１００と接続され、ＤＶＤ再生装置２００で再生された映像信号は、映像信号分配装置１００を介して第２プロジェクタ３２０に供給される。
【００１５】
すなわち、映像信号分配装置１００は、一つの信号ソース（本実施の形態ではＤＶＤ再生装置２００）の再生信号を第１プロジェクタ３１０と第２プロジェクタ３２０とに分配する。従って、第１プロジェクタ３１０と第２プロジェクタ３２０は同じ内容の映像をスクリーン上に投写する。尚、ケーブル５１０、５２０は、映像信号を伝送するとともに通信を行なえるように構成されている。
【００１６】
［１−１−２．プロジェクタの構成］
図２は、第１プロジェクタ３１０のブロック図である。映像信号分配装置１００からの映像信号と制御信号は映像・制御信号受信／通信デバイス３１２に供給される。映像・制御信号受信／通信デバイス３１２に供給された制御信号は、ＣＰＵからなるマイクロコンピュータ３１１に供給される。
【００１７】
映像信号分配装置１００からの通信情報も映像・制御信号受信／通信デバイス３１２に供給され、マイクロコンピュータ３１１に与えられる。第１プロジェクタ３１０の情報もまた、マイクロコンピュータ３１１の制御により、映像・制御信号受信／通信デバイス３１２によって映像信号分配装置１００に与えられる。
【００１８】
映像・制御信号受信／通信デバイス３１２に供給された映像信号は、スケーラ３１３に供給され、そこでマイクロコンピュータ３１１の制御に基づいてスケーリングされる。スケーラ３１３から出力された映像信号は、ＯＳＤ描画部３１４に供給される。マイクロコンピュータ３１１は、リモコン送信機４００からＯＳＤ制御信号がリモコン受信部３１７で受信されると、ＲＯＭ３１８に記憶されたＯＳＤ（Ｏｎ  Ｓｃｒｅｅｎ  Ｄｉｓｐｌａｙ）の画像データやフォント(文言)データを読出し、ＯＳＤ描画部３１４で映像信号に重畳して出力する。ＯＳＤ描画部３１４から出力される映像信号は映像表示部３１５に供給される。また、ここではリモコン送信器からＯＳＤ制御信号が送信される場合を例としているが、第１プロジェクタ３１０本体のコントロールパネルや外部制御機器でも構わない。
【００１９】
映像表示部３１５は、本開示においてはＤＭＤ（デジタル・マイクロミラー・デバイス）であって、映像表示部３１５はＯＳＤ描画部３１４からの映像信号にもとづいて、光学ブロック３１６を構成する光源からの光を変調し、光学ブロックの投写レンズから映像をスクリーンに拡大投写する。尚、ＲＡＭ３１９は、マイクロコンピュータ３１１が演算を行う際にワークメモリとして使用される。
【００２０】
第２プロジェクタ３２０も、第１プロジェクタ３１０と内部構成は同じであるので、その説明は省略する。
【００２１】
［１−１−３．映像信号分配装置の構成］
図３は、映像信号分配装置１００のブロック図である。ＤＶＤ再生装置２００からの再生映像信号は、映像信号受信部１１１で受信される。映像信号受信部１１１で受信された映像信号はスケーラ１１２に供給される。スケーラ１１２は入力される映像信号をマイクロコンピュータ１１５の制御に基づいてスケーリングする。スケーラ１１２から出力された映像信号は、ＯＳＤ描画部１１３に供給される。マイクロコンピュータ１１５は、コントローラの一例である。
【００２２】
マイクロコンピュータ１１５は、ユーザの映像信号分配装置１００の操作部１１８の操作によりは発生するＯＳＤ制御信号を受けると、ＲＯＭ１１６に記憶されたＯＳＤのパターン画像を読出し、ＯＳＤ描画部１１３で映像信号に重畳して出力する。ＯＳＤ描画部１１３は、ＯＳＤデバイスの一例である。ＯＳＤ描画部３１４から出力される映像信号は映像信号出力部１１４に供給される。映像信号出力部１１４は第１、第２プロジェクタが受信するために必要な映像情報を付加したり、必要に応じて映像信号に暗号化を施す。映像信号出力部１１４から出力された映像信号は、第１映像・制御信号出力／通信デバイス１０１（以下、「第１デバイス」とも言う）と、第２映像・制御信号出力／通信デバイス１０２（以下、「第２デバイス」とも言う）に供給される。
【００２３】
第１映像・制御信号出力／通信デバイス１０１からの出力は、ケーブル５１０によって第１プロジェクタ３１０に供給される。第１映像・制御信号出力／通信デバイス１０１からは、映像信号以外に、マイクロコンピュータ１１５からの制御信号や通信情報が出力される。第１映像・制御信号出力／通信デバイス１０１は、第１プロジェクタ３１０からの通信情報も受信し、マイクロコンピュータ１１５に供給する。
【００２４】
第２映像・制御信号出力／通信デバイス１０２からの出力は、ケーブル５２０によって第２プロジェクタ３２０に供給される。第２映像・制御信号出力／通信デバイス１０２からは、映像信号以外に、マイクロコンピュータ１１５からの制御信号や通信情報が出力される。第２映像・制御信号出力／通信デバイス１０２は、第２プロジェクタ３２０からの通信情報も受信し、マイクロコンピュータ１１５に供給する。
【００２５】
マイクロコンピュータ１１５は、各ブロックに対し、データの伝送や制御を行う。尚、ＲＡＭ３１９は、マイクロコンピュータ１１５が演算を行う際に、ワークメモリとして使用される。
【００２６】
［１−２．動作］
以上のように構成された映像信号分配装置について、その動作を以下説明する。
【００２７】
図４は、本実施の形態における映像信号分配装置のマイクロコンピュータ１１５のＯＳＤ表示制御動作を説明するフローチャートである。
【００２８】
マイクロコンピュータ１１５は、第１映像・制御信号出力／通信デバイス１０１（以下実施の形態を説明するフローチャートでは、「第１デバイス」を略称する）に第１プロジェクタが接続されているかを確認する（Ｓ１）。第１映像・制御信号出力／通信デバイス１０１に第１プロジェクタ３１０が接続されていると判断されると（Ｓ２）、次に、第１映像・制御信号出力／通信デバイス１０１に接続されている第１プロジェクタ３１０のＯＳＤ表示状態を、第１プロジェクタ３１０に対し通信し問い合わせる（Ｓ３）。
【００２９】
第１プロジェクタ３１０のＯＳＤ表示状態を問合せた結果、第１プロジェクタ３１０がＯＳＤ表示をしていないという情報が得られると（Ｓ４）、ＯＳＤ描画部１１３にて映像信号分配装置の調整メニューのＯＳＤを映像信号に重畳（描画）し（Ｓ５）、ＯＳＤ表示制御動作を終了する。
【００３０】
第１プロジェクタ３１０のＯＳＤ表示状態を問合せた結果、第１プロジェクタ３１０がＯＳＤ表示をしているという情報が得られると（Ｓ４）、ＯＳＤ描画部１１３にて映像信号分配装置の調整メニューのＯＳＤを映像信号に重畳（描画）することなく終了する。
【００３１】
また、マイクロコンピュータ１１５は、第１映像・制御信号出力／通信デバイス１０１に第１プロジェクタ３１０が接続されていないと判断すると（Ｓ２）、第２映像・制御信号出力／通信デバイス１０２（以下、実施の形態を説明するフローチャートでは、「第２デバイス」を略称する）に第２プロジェクタ３２０が接続されているかを確認する（Ｓ６）。
【００３２】
第２映像・制御信号出力／通信デバイス１０２に第２プロジェクタ３２０が接続されていると判断されると（Ｓ７）、次に、第２映像・制御信号出力／通信デバイス１０２に接続されている第２プロジェクタ３２０のＯＳＤ表示状態を、第２プロジェクタ３２０に対し通信し問い合わせる（Ｓ８）。
【００３３】
第２プロジェクタ３２０のＯＳＤ表示状態を問合せた結果、第２プロジェクタ３２０がＯＳＤ表示をしていないという情報が得られると（Ｓ９）、ＯＳＤ描画部１１３にて映像信号分配装置の調整メニューのＯＳＤを映像信号に重畳（描画）し（Ｓ５）、ＯＳＤ表示制御動作を終了する。また、第２プロジェクタ３２０のＯＳＤ表示状態を問合せた結果、第２プロジェクタ３２０がＯＳＤ表示をしているという情報が得られると（Ｓ９）、ＯＳＤ表示制御動作を終了する。
【００３４】
また、第２映像・制御信号出力／通信デバイス１０２に第２プロジェクタ３２０が接続されているかを確認し（Ｓ６）、第２映像・制御信号出力／通信デバイス１０２に第２プロジェクタ３２０が接続されていないと判断されると（Ｓ７）、ＯＳＤ表示制御動作を終了する。
【００３５】
［１−３．効果等］
以上のように、本実施の形態において、映像信号分配装置は、第１及び第２プロジェクタが接続されているかどうか判断するとともに、第１、第２プロジェクタがＯＳＤ表示をしているか否かの情報をマイクロコンピュータが通信して取得する。これによって、第１、第２プロジェクタが接続されているときに、第１プロジェクタのＯＳＤ表示がされていなければ、映像信号分配装置のＯＳＤ表示を行なうようにする。また、このとき、第２プロジェクタに対しては、第２プロジェクタがＯＳＤ表示しているかどうかにかかわらず、映像信号分配装置のＯＳＤ表示を行なうようにした。よって、映像信号分配装置に搭載するＯＳＤデバイスが１つで済み、映像信号分配装置のコスト低減に寄与するところが大きい。
【００３６】
（実施の形態２）
以下、図５を用いて、実施の形態２を説明する。
【００３７】
［２−１．構成］
本実施の形態の構成は、実施の形態１と同じであるのでその重複説明は省略する。実施の形態１との相違点は、マイクロコンピュータ１１５のＯＳＤ表示制御動作である。
【００３８】
［２−２．動作］
図５は、本実施の形態における映像信号分配装置のマイクロコンピュータ１１５のＯＳＤ表示制御動作を説明するフローチャートである。
【００３９】
マイクロコンピュータ１１５は、第１映像・制御信号出力／通信デバイス１０１に第１プロジェクタが接続されているかを確認する（Ｓ１）。第１映像・制御信号出力／通信デバイス１０１に第１プロジェクタ３１０が接続されていると判断されると（Ｓ２）、次に、第１映像・制御信号出力／通信デバイス１０１に接続されている第１プロジェクタ３１０のＯＳＤ表示状態を、第１プロジェクタ３１０に対し通信し問い合わせる（Ｓ３）。尚、ステップＳ２において、第１映像・制御信号出力／通信デバイス１０１に第１プロジェクタ３１０が接続されていないと判断されると、ＯＳＤ表示制御動作を終了する。
【００４０】
第１プロジェクタ３１０のＯＳＤ表示状態を問合せた結果、第１プロジェクタ３１０がＯＳＤ表示をしていないという情報が得られると（Ｓ４）、第２映像・制御信号出力／通信デバイス１０２に第２プロジェクタ３２０が接続されているかを確認する（Ｓ５）。また、第１プロジェクタ３１０のＯＳＤ表示状態を問合せた結果、第１プロジェクタ３１０がＯＳＤ表示をしているという情報が得られると（Ｓ４）、ＯＳＤ表示制御動作を終了する。
【００４１】
第２映像・制御信号出力／通信デバイス１０２に第２プロジェクタ３２０が接続されていると判断されると（Ｓ６）、次に、第２映像・制御信号出力／通信デバイス１０２に接続されている第２プロジェクタ３２０のＯＳＤ表示状態を、第２プロジェクタ３２０に対し通信し問い合わせる（Ｓ７）。また、第２映像・制御信号出力／通信デバイス１０２に第２プロジェクタ３２０が接続されていないと判断すると（Ｓ６）、ＯＳＤ表示制御動作を終了する。
【００４２】
第２プロジェクタ３２０のＯＳＤ表示状態を問合せた結果、第２プロジェクタ３２０がＯＳＤ表示をしていないという情報が得られると（Ｓ８）、ＯＳＤ描画部１１３にて映像信号分配装置の調整メニューのＯＳＤを映像信号に重畳（描画）し（Ｓ５）、ＯＳＤ表示制御動作を終了する。また、第２プロジェクタ３２０のＯＳＤ表示状態を問合せた結果、第２プロジェクタ３２０がＯＳＤ表示をしているという情報が得られると（Ｓ８）、ＯＳＤ表示制御動作を終了する。
【００４３】
［２−３．効果等］
以上のように、本実施の形態において、映像信号分配装置は、第１及び第２プロジェクタが接続されているかどうか判断するとともに、第１、第２プロジェクタがＯＳＤ表示をしているか否かの情報をマイクロコンピュータが通信して取得する。
【００４４】
これにより、第１、第２プロジェクタが接続されているときに、プロジェクタ側のＯＳＤ表示がされていれば、映像信号分配装置のＯＳＤ表示しないようにしたので、映像信号分配装置に搭載するＯＳＤデバイスが１つで済み、映像信号分配装置のコスト低減に寄与するところが大きい。
【００４５】
（実施の形態３）
以下、図６を用いて、実施の形態３を説明する。
【００４６】
［３−１．構成］
本実施の形態の構成は、実施の形態１と同じであるのでその重複説明は省略する。実施の形態１との相違点は、マイクロコンピュータ１１５のＯＳＤ表示制御動作である。
【００４７】
［３−２．動作］
図６は、本実施の形態における映像信号分配装置のマイクロコンピュータ１１５のＯＳＤ表示制御動作を説明するフローチャートである。
【００４８】
マイクロコンピュータ１１５は、第１映像・制御信号出力／通信デバイス１０１に第１プロジェクタが接続されているかを確認する（Ｓ１）。第１映像・制御信号出力／通信デバイス１０１に第１プロジェクタ３１０が接続されていると判断されると（Ｓ２）、ＯＳＤ描画部１１３にて映像信号分配装置の調整メニューのＯＳＤを映像信号に重畳（描画）し（Ｓ３）、ＯＳＤ表示制御動作を終了する。
【００４９】
第１映像・制御信号出力／通信デバイス１０１に第１プロジェクタ３１０が接続されていると判断されていない判断されると（Ｓ２）、第２映像・制御信号出力／通信デバイス１０２に第２プロジェクタ３２０が接続されているかを確認する（Ｓ４）。
【００５０】
第２映像・制御信号出力／通信デバイス１０２に第２プロジェクタ３２０が接続されていると判断されると（Ｓ５）、ＯＳＤ描画部１１３にて映像信号分配装置の調整メニューのＯＳＤを映像信号に重畳（描画）し（Ｓ３）、ＯＳＤ表示制御動作を終了する。
【００５１】
また、第２映像・制御信号出力／通信デバイス１０２に第２プロジェクタ３２０が接続されていないと判断されると（Ｓ５）、ＯＳＤ表示制御動作を終了する。
【００５２】
［３−３．効果等］
以上のように、本実施の形態において、映像信号分配装置は、第１及び第２プロジェクタが接続されているかどうかを通信可能かどうかで判断する。これにより、第１及び／または第２プロジェクタが接続されているときに、これらプロジェクタがＯＳＤ表示しているかどうかにかかわらず、先に接続が確認されたプロジェクタに対し映像信号分配装置のＯＳＤ表示をする制御を行う。そのため、映像信号分配装置に搭載するＯＳＤデバイスが１つで済み、映像信号分配装置のコスト低減に寄与するところが大きい。
【００５３】
（他の実施の形態）
以上のように、本出願において開示する技術の例示として、実施の形態１〜３を説明した。しかしながら、本開示における技術は、これに限定されず、変更、置き換え、付加、省略などを行った実施の形態にも適用できる。また、上記実施の形態１〜３で説明した各構成要素を組み合わせて、新たな実施の形態とすることも可能である。
【００５４】
そこで、以下、他の実施の形態を例示する。
【００５５】
実施の形態１および２では、コントローラの一例としてマイクロコンピュータ１１５を説明した。コントローラは、映像信号分配装置を制御するものであれば、物理的にどのように構成してもよい。したがって、コントローラは、マイクロコンピュータ１１５に限定されない。ただし、プログラム可能なマイクロコンピュータ１１５を用いれば、プログラムの変更により処理内容を変更できるので、コントローラの設計の自由度を高めることができる。また、コントローラは、ハードロジックで実現してもよい。コントローラをハードロジックで実現すれば、処理速度の向上に有効である。コントローラは、１つの半導体チップで構成してもよいし、物理的に複数の半導体チップで構成してもよい。複数の半導体チップで構成する場合、特許請求の範囲に記載の各制御をそれぞれ別の半導体チップで実現してもよい。この場合、それらの複数の半導体チップで一つのコントローラを構成すると考えることができる。また、コントローラは、半導体チップと別の機能を有する部材（コンデンサなど）とで構成してもよい。また、コントローラの機能とそれ以外の機能とを実現するように、１つの半導体チップを構成するようにしてもよい。
【００５６】
なお、上述の実施の形態は、本開示における技術を例示するためのものであるから、特許請求の範囲またはその均等の範囲において種々の変更、置き換え、付加、省略などを行うことができる。
【産業上の利用可能性】
【００５７】
本開示は、映像ソースからの映像信号を複数のプロジェクタ等の映像表示装置に分配する映像信号分配装置に適用可能である。
【符号の説明】
【００５８】
１００  映像信号分配装置
１０１  第１映像・制御信号出力／通信デバイス
１０２  第２映像・制御信号出力／通信デバイス
１１１  映像信号受信部
１１２、３１３  スケーラ
１１３、３１４  ＯＳＤ描画部
１１４  映像信号出力部
１１５、３１１  マイクロコンピュータ
１１６、３１８  ＲＯＭ
１１８  操作部
２００  ＤＶＤ再生装置
３１０  第１プロジェクタ
３１２  映像・制御信号受信／通信デバイス
３２０  第２プロジェクタ
【図１】
0006500219.tif 000002
【図２】
0006500219.tif 000003
【図３】
0006500219.tif 000004
【図４】
0006500219.tif 000005
【図５】
0006500219.tif 000006
【図６】
0006500219.tif 000007